(57)【要約】      （修正有）【課題】温水洗浄式の便座蓋と旧式の便座蓋のいずれに使用した場合でもぴったりと見栄え良く被うことのできる便蓋カバーを提供する。【解決手段】この便蓋カバー１は、便座蓋の表面を被う基布２の前縁３が折り返されて便座蓋の前端部を収容するポケット部４が形成され、ポケット部４を成す基布２の前縁３は弾性伸縮体６を固着されて伸縮部５にされるとともに、基布２の後部８を便座蓋に係止する係止具９を備えて成るものにおいて、弾性伸縮体６を固着する前の基布２の展開状態で、伸縮部５に対応する基布２の前縁３が前向きに湾曲した円弧状縁として形成され、円弧状縁の左右最外端が基布２の左右側縁７，７よりも左右外方に突出しており、弾性伸縮体６が、伸ばされた状態で基布２の円弧状縁に固着されることを特徴とするものである。【選択図】図２
0003219803.tif 000002
【実用新案登録請求の範囲】
【請求項１】
便座蓋の表面を被う基布の前縁が折り返されて前記便座蓋の前端部を収容するポケット部が形成され、前記ポケット部を成す前記基布の前縁は弾性伸縮体を固着されて伸縮部にされるとともに、前記基布の後部を前記便座蓋に係止する係止具を備えて成る便蓋カバーにおいて、
弾性伸縮体固着前の基布展開状態で、前記伸縮部に対応する基布の前縁が前向きに湾曲した円弧状縁として形成され、前記円弧状縁の左右最外端が前記基布の左右側縁よりも左右外方に突出しており、前記弾性伸縮体が伸ばされた状態で前記基布の円弧状縁に固着されることを特徴とする便蓋カバー。
【請求項２】
前記係止具が、前記便座蓋の表面および裏面の一方に着脱可能に吸着する吸盤と、前記基布後部の左右側縁に取り付けられて当該左右側縁と前記吸盤とをつなぐ連結部材と、から構成されていることを特徴とする請求項１に記載の便蓋カバー。
【請求項３】
前記連結部材が、可撓性を有するプレート体で構成され、前記吸盤の摘みを着脱可能に係止する係合孔が前記プレート体に形成され、前記プレート体の表側または裏側から前記係合孔に前記吸盤の摘みが装着されることを特徴とする請求項２に記載の便蓋カバー。
【請求項４】
前記プレート体の係合孔に、切り込み部が形成されていることを特徴とする請求項３に記載の便蓋カバー。
【請求項５】
前記係止具の連結部材を取り付ける位置が、前記基布の後端から前方に３０ｍｍ以上８０ｍｍ以下離れた位置であることを特徴とする請求項２から請求項４までのいずれか一項に記載の便蓋カバー。
【考案の詳細な説明】
【技術分野】
【０００１】
本考案は、温水洗浄式便器の便座蓋と、温水洗浄式でない旧式便器の便座蓋のいずれにも使用できる便蓋カバーに関するものである。
【背景技術】
【０００２】
従来、この種の便蓋カバーとしては、例えば下記の特許文献１に記載されたものが知られている。この特許文献１記載の便蓋カバー１は、図２（ｂ）に示されるように、温水洗浄式の便座蓋Ｂ１，Ｂ１Ａ（図１参照）または旧式の便座蓋Ｂ２（いわゆるＵ型またはＯ型：図１参照）の表面Ｃを被う基布５２と、便座蓋Ｂ１または便座蓋Ｂ２の前端部Ｅを収容するポケット部５４と、基布５２の後部５８を便座蓋Ｂ１または便座蓋Ｂ２に係止する係止具と、を備えたものである。前記の係止具は、便座蓋Ｂ１，Ｂ２の表面Ｃに着脱可能に接着する吸着材７０と、基布５２の裏面後部の側縁５７，５７に留め輪７１，７１を介して取り付けられるゴム紐セット５９と、から構成されている。
【０００３】
そして、前記の基布５２は、図４（ｂ）に示されるように、弾性伸縮体５６が縫着される前の展開基布５２Ａの状態で、左右の側縁５７，５７および後部５８の後縁が平面視矩形状に形成され、これらの位置にバイアス布１５が縫着されており、その縫着は縫目１６，１６，１６，・・・で表されている。そして、ポケット部５４を成す基布５２の前縁５３は、前向きに湾曲した円弧状縁５３Ａとして形成されている。この円弧状縁５３Ａには、弾性伸縮体５６が大きく引き伸ばされた状態で縫着され、弾性伸縮体５６の縮退で円弧状縁５３Ａが縮むことにより、ポケット部５４が形成されている。すなわち、基布５２の前縁５３が伸縮自在な伸縮部５５となり、この伸縮部５５は左右の最外端５３Ｂ，５３Ｂ間の範囲Ｍ１に形成されている。
【０００４】
前記の便蓋カバー５１において、温水洗浄式の便座蓋Ｂ１に使用されるときは、便座蓋Ｂ１の前端部Ｅが便座蓋Ｂ１のポケット部５４に挿し込まれたのちに、便座蓋Ｂ１の後部とほぼ同じ大きさの基布５２が便座蓋Ｂ１に載置され、吸着材７０の吸着により便座蓋Ｂ１の表面に固定される。一方、旧式の便座蓋Ｂ２に使用するときは、便蓋カバー５１のポケット部５４と吸着材７０が便座蓋Ｂ１に固定されたのち、基布５２後部の左右側縁５７，５７が便座蓋Ｂ２の裏面Ｄに回し入れられ、ゴム紐セット５９が左右の留め輪７１，７１に係止されて引張り固定されるようになっている。
【０００５】
ところで、便蓋カバー５１が、ポケット部５４の大きさを温水洗浄式便座蓋Ｂ１および旧式便座蓋Ｂ２の前端部Ｅのサイズに合されている場合、これらの便座蓋Ｂ１，Ｂ２はポケット部５４に収容され得る。しかしながら、その便蓋カバー５１を、蓋前端部が角張っている温水洗浄式便座蓋Ｂ１Ａに用いる場合、便座蓋Ｂ１Ａの前端部Ｅは便蓋カバー５１のポケット部５４内に入り切らないのである。また、吸着材７０は便座蓋の表面Ｃに置かれた状態では比較的保持力があるが、前後方向の押し引きに弱くて位置ズレしやすく塵埃も溜まりやすい。更に、吸着材７０は、経時使用や洗濯の繰り返しなどにより吸着力が徐々に低下するという不具合もある。そして、温水洗浄式の便座蓋Ｂ１に使用される場合に、ゴム紐セット５９は使用されずに取り外されるので、別途保管しておく必要がある。
【０００６】
他方で、下記の特許文献２に記載された便蓋カバーも知られている。この便蓋カバーは、特許文献１と同様の構造を採用しているが、構成上の異なるところは、ゴム紐セットを備えていないことと、基布の左右の側縁においてバイアス布の内側に比較的硬いゴム紐材が装入されていることである。このゴム紐材の装入により、基布の左右側縁が平面部から垂れ下がって弧状に丸まり、温水洗浄式の便座蓋Ｂ１，Ｂ１Ａまたは旧式の便座蓋Ｂ２に使用されたときに、左右側縁が便座蓋の側方から便座蓋の裏面側に回り込むようになっている。
【先行技術文献】
【特許文献】
【０００７】
【特許文献１】登録実用新案第３１８５６２９号公報
【特許文献２】特開２０１８−４２９０７号公報
【考案の概要】
【考案が解決しようとする課題】
【０００８】
ところで、上記した特許文献２に記載の弁蓋カバーでは、相対的に小さな旧式便座蓋Ｂ２に使用される場合に、基布の左右の側縁は旧式便座蓋Ｂ２の側方から裏面側に回り込むが、左右の側縁は裏面に完全に密着せず裏面との間に空間を生じてフィット感が欠けてしまう。一方、相対的に大きな温水洗浄式便座蓋Ｂ１，Ｂ１Ａに使用される場合に、左右の側縁は裏面までは回り込むことなく表面だけを被っている。しかしながら、左右の側縁の一部分が温水洗浄式便座蓋Ｂ１，Ｂ１Ａの表面の左右辺部で上向きに膨らんでしまい、前後方向の筋が入って見栄えを損なうことがあった。
すなわち、特許文献１，２に記載の弁蓋カバーはいずれも、温水洗浄式便座蓋と旧式便座蓋の双方に用いたときに、どちらの場合もぴったりフィットして見栄え良く被うことができなかったのである。
【０００９】
本考案は、上記した従来の問題点に鑑みてなされたものであって、温水洗浄式の便座蓋Ｂ１，Ｂ１Ａと旧式の便座蓋Ｂ２に使用できるのはもとより、いずれの便座蓋に使用した場合でもぴったりフィットして見栄え良く被うことのできる便蓋カバーの提供を目的とする。
【課題を解決するための手段】
【００１０】
上記目的を達成するために、本考案に係る便蓋カバーは、便座蓋の表面を被う基布の前縁が折り返されて便座蓋の前端部を収容するポケット部が形成され、ポケット部を成す基布の前縁は弾性伸縮体を固着されて伸縮部にされるとともに、基布の後部を便座蓋に係止する係止具を備えて成る便蓋カバーにおいて、弾性伸縮体固着前の基布展開状態で、伸縮部に対応する基布の前縁が前向きに湾曲した円弧状縁として形成され、円弧状縁の左右最外端が基布の左右側縁よりも左右外方に突出しており、弾性伸縮体が伸ばされた状態で基布の円弧状縁に固着されることを特徴とする構成にしてある。
【００１１】
また、前記構成において、係止具が、便座蓋の表面および裏面の一方に着脱可能に吸着する吸盤と、基布後部の左右側縁に取り付けられて当該左右側縁と吸盤とをつなぐ連結部材と、から構成されていることを特徴とするものである。
【００１２】
そして、前記構成において、連結部材が、可撓性を有するプレート体で構成され、吸盤の摘みを着脱可能に係止する係合孔がプレート体に形成され、プレート体の表側または裏側から係合孔に吸盤の摘みが装着されることを特徴とするものである。
【００１３】
更に、前記構成において、プレート体の係合孔に切り込み部が形成されていることを特徴とするものである。
【００１４】
また、前記した各構成において、係止具の連結部材を取り付ける位置が、基布の後端から前方に３０ｍｍ以上８０ｍｍ以下離れた位置であることを特徴とするものである。
【考案の効果】
【００１５】
本考案に係る便蓋カバーによれば、展開状態の基布の前縁が円弧状縁に形成され、円弧状縁の左右最外端が基布の左右側縁よりも左右外方に突出していて、この円弧状縁に弾性伸縮体が伸ばされた状態で固着されるので、便座蓋への装着前の状態では、弾性伸縮体が縮退してポケット部が左右内向きに縮んでいる状態でコンパクトである。そして、便座蓋の前端部に装着されるときは弾性伸縮体が伸長してポケット部が広がるから容易に装着することができる。また、伸縮部は伸ばした状態の長さが基布の左右側縁間の幅よりも大きいので、温水洗浄式便座蓋の前端部のように旧式便座蓋よりも幅広かったり上下厚さが大きかったり平面視で角張っていたりしても、十分に広がってポケット部を装着させることができる。加えて、装着後はいずれのタイプの便座蓋に対してでもピッタリと密着してスマートな美観を呈することができる。
【００１６】
また、係止具が吸盤と連結部材とから構成されているものでは、吸盤が連結部材を介して基布後部の左右側縁に連結されるから、便座蓋の後部の広い範囲にわたって吸盤を移動・配置させることができ、基布の後部を自在に係止・固定することができる。
【００１７】
そして、連結部材を構成するプレート体の表側または裏側から係合孔に、吸盤の摘みが装着されるものでは、便座蓋の表面と裏面に切り換えて吸盤を吸着させ得るので、温水洗浄式便座蓋の表面または旧式便座蓋の裏面のいずれにも、吸盤を吸着させることができ、基布の後部を確実に係止させることができる。
【００１８】
更に、プレート体の係合孔に切り込み部が形成されているものでは、吸盤を係合孔に装着する際や吸盤を係合孔から取り外す際に、摘みが係合孔を通過するときに切り込み部が広がって摘みの通過を容易にし、摘みの通過後は切り込み部が狭まって吸盤をしっかりと保持するから、プレート体の係合孔への吸盤の取り付け・取り外しを容易かつ確実に行なうことができる。
【００１９】
また、係止具の連結部材の取付位置を基布の後端から前方に３０ｍｍ以上８０ｍｍ以下離れた位置にしたものでは、温水洗浄式便座蓋は十分に開き切ることができる。一方で、旧式便座蓋に用いて係止具を便座蓋の裏面で係止させる場合も、基布のできるだけ後縁近傍を係止することができる。前記の距離が３０ｍｍを下回ると、便器後部の起立部に係止具が接触干渉して便座蓋が開き切らなくなるおそれがある。他方で、８０ｍｍを上回ると、連結部材の取付位置よりも後部の基布がバタついたり捲れやすくなったりするし、旧式便座蓋の場合は蓋裏面の係止予定位置の近傍に垂脚が存在するので、垂脚が係止具の係止の邪魔になるおそれがある。
【図面の簡単な説明】
【００２０】
【図１】本考案の一実施形態に係る便蓋カバー、温水洗浄式便座の便座蓋および旧式便座の便座蓋を示す外観図である。
【図２】便蓋カバーの底面を示す図であって、（ａ）は本実施形態に係る便蓋カバーの底面図、（ｂ）は特許文献１に係る便蓋カバーの底面図である。
【図３】本実施形態に係る便蓋カバーの詳細部分を示す図であって、（ａ）は図２（ａ）におけるＡ−Ａ線矢視断面図、（ｂ）は図２（ａ）におけるＢ−Ｂ線矢視断面図、（ｃ）は連結部材であるプレート体およびその周囲を示す部分拡大背面図である。
【図４】便蓋カバーの展開基布を示す図であって、（ａ）は本実施形態に係る便蓋カバーの展開基布を示す底面図、（ｂ）は特許文献１に係る便蓋カバーの展開基布を示す底面図である。
【図５】本実施形態に係る便蓋カバーを使用する際の吸盤の取付け態様を示す図であって、（ａ）は温水洗浄式の便座蓋に使用する場合を示す部分外観図、（ｂ）は旧式の便座蓋に使用する場合を示す部分外観図である。
【図６】本実施形態に係る便蓋カバーを使用する態様を示す図であって、（ａ）は温水洗浄式の便座蓋に使用した状態を示す外観図、（ｂ）は旧式の便座蓋に使用して便座蓋を開いた状態を示す外観図である。
【考案を実施するための形態】
【００２１】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る便蓋カバー、温水洗浄式便座の便座蓋および旧式便座の便座蓋を示す外観図、図２は本実施形態と特許文献１に係る便蓋カバーの底面を示す図、図３は本実施形態に係る便蓋カバーの詳細部分を示す図である。
各図において、この実施形態に係る便蓋カバー１は、温水洗浄式便座の便座蓋Ｂ１，Ｂ１Ａまたは旧式便座の便座蓋Ｂ２の表面Ｃを被う基布２と、便座蓋Ｂ１，Ｂ１Ａまたは便座蓋Ｂ２の前端部Ｅを収容するポケット部４と、基布２の後部８を便座蓋Ｂ１，Ｂ１Ａまたは便座蓋Ｂ２に係止する係止具９と、を備えて構成されている。
【００２２】
各々の係止具９は、便座蓋Ｂ１，Ｂ１Ａ，Ｂ２の表面Ｃと裏面Ｄのいずれにも着脱可能に吸着する吸盤１０と、基布２の左右の側縁７に取り付けられて側縁７と吸盤１０とをつなぐ連結部材１１とから構成されている。前記の吸盤１０は、例えば軟質ポリ塩化ビニル製で直径が３０ｍｍ程度であり、３００ｇの保持能力を有している。吸盤１０の背面には、直径６ｍｍの細径部を介して直径１０ｍｍの摘み１０Ａが形成されている。前記の連結部材１１は、可撓性を有するポリ塩化ビニル板製などのプレート体１２で構成されている。このプレート体１２には、吸盤１０の摘み１０Ａを着脱可能に係止する例えば直径８ｍｍの係合孔１３が形成されている。この係合孔１３の周縁には、例えば２つの切り込み部１４，１４がプレート体１２の長手方向に形成されている。この係合孔１３には、プレート体１２の表側１２Ａまたは裏側１２Ｂから吸盤１０の摘み１０Ａが挿通され、切り込み部１４，１４を押し広げて、摘み１０Ａが通過し細径部が係合孔１３に収まって係止されるようになっている。
【００２３】
そして、前記した基布２は、例えばポリエステル製の不織布にパイル糸をループ状に植え付けたものである。この基布２は、図４（ａ）に示すように、平ゴム６Ａが縫着される前の展開基布２Ａの状態で、左右の側縁７，７および後部８の後縁８Ａは平面視矩形状に形成され、これらの位置にはバイアス布１５が縫着されていて、縫着は縫目１６，１６，１６，・・・で表される。展開基布２Ａにおける左右の側縁７，７間の幅Ｗ１（例えば約４００ｍｍ）は、引用文献１における展開基布５２Ａの左右の側縁５７，５７間の幅Ｗ１（図４（ｂ）参照）と同じである。この展開基布２Ａの幅Ｗ１は、使用される例えば便座蓋Ｂ１，Ｂ１Ａの左右幅とほとんど同じか、それよりも若干大きくなるように設定されている。また、展開基布２Ａにおける円弧状縁３Ａと後端８Ａ間の奥行Ｇ（例えば約４９０ｍｍ）は、引用文献１における展開基布５２Ａの円弧状縁５３Ａと後端５８間の奥行Ｇ（図４（ｂ）参照）と同じである。この展開基布２Ａの奥行Ｇは、使用される例えば便座蓋Ｂ１，Ｂ１Ａの後端部がほぼ隠れるか、それよりも若干短くなるように設定されている。そして、前記したプレート体１２が取り付けられる基布２の位置は、後縁８Ａから前方に５０ｍｍ（距離Ｈ）ほど離れた位置である。各プレート体１２は、予め基布２の側縁７近傍位置に縫目２０で示される閂止め処理により固着されており、更にバイアス布１５で包まれたのちに縫目１６のように縫着される。
【００２４】
ポケット部４を成す基布２の前縁３は、前向きに膨らんで湾曲した円弧状縁３Ａとして形成されている。この円弧状縁３Ａの左右の最外端３Ｂ，３Ｂ間の幅Ｗ２（例えば約４３０ｍｍ）は、展開基布２Ａの側縁７，７間の幅Ｗ１よりも大きくされている。すなわち、展開基布２Ａの左右の側縁７，７よりも左右外方にそれぞれ突出長△Ｗ，△Ｗ（＝（幅Ｗ２−幅Ｗ１）／２：例えば１５ｍｍ）ぶん突出している。それにより、展開基布２Ａにおける円弧状縁３Ａの範囲Ｍ（円弧状縁３Ａの長さに相当）は、引用文献１における円弧状縁５３Ａの範囲Ｍ１（円弧状縁５３Ａの長さに相当）よりも長くなっている。前記した基布２の前縁３には、平ゴム６Ａ（弾性伸縮体６）が大きく引き伸ばされた状態で展開基布２Ａの円弧状縁３Ａに巻き付けられ、その引き伸ばし状態のまま縫着される。その引き伸ばし状態を解除すると、平ゴム６Ａがゴム弾性力により縮退する。すると、平ゴム６Ａの縮退により、展開基布２Ａの円弧状縁３Ａが縮んで基布２の前縁３となり、その前縁３が自動的に下向きに折り返されてポケット部４が形成される。すなわち、平ゴム６Ａを添わされて縫着された前縁３が、伸縮自在な伸縮部５である。尚、平ゴム６Ａは、弧状縁３Ａから左右の最外端３Ｂ，３Ｂを超えてバイアス布１５，１５の先端１７，１７と重なる位置まで延設されている。図２（ａ）および図４（ａ）中の符号１８は、ポケット部４の折始め位置である。
【００２５】
上記のように構成された本実施形態に係る便蓋カバー１の作用を次に説明する。
先ず、この便蓋カバー１を温水洗浄式便座の便座蓋Ｂ１，Ｂ１Ａに用いる場合を説明する。この場合、図５（ａ）およびその円Ｋ内の拡大図に示すように、左右の掛止具９，９において、吸盤１０の摘み１０Ａがプレート体１２の裏側１２Ｂから係合孔１３に挿通されて固定され吸盤１０が下向きに配置される。
そうして、便蓋カバー１のポケット部４が便座蓋Ｂ１，Ｂ１Ａの前端部Ｅに被せられたのち、基布２の下面が便座蓋Ｂ１，Ｂ１Ａの表面Ｃ上に載置され、当該表面Ｃに吸盤１０，１０が吸着される。これらにより、図６（ａ）に示すように、便蓋カバー１が便座蓋Ｂ１，Ｂ１Ａの前端部Ｅおよび表面Ｃに固定され、ぴったりとダブつきなく装着されるのである。この場合、便蓋カバー１後部の基布２は便座蓋Ｂ１，Ｂ１Ａの表面Ｃのほとんどを被った状態で表面Ｃに載せられているだけなので、見栄えはシンプルであり美観を損なわない。図６（ａ）では、便座蓋Ｂ１のみを図示し便座蓋Ｂ１Ａについては図示していないが、便座蓋Ｂ１Ａに対してでも便座蓋Ｂ１に対すると同様の作用効果を呈することは言うまでもない。
【００２６】
他方で、便蓋カバー１を温水洗浄式でない旧式便座の便座蓋Ｂ２に用いる場合は、左右の掛止具９，９の吸盤１０，１０が図５（ａ）の状態からプレート体１２より取り外されたのち、図５（ｂ）およびその円Ｊ内の拡大図に示すように、摘み１０Ａがプレート体１２の表側１２Ａから係合孔１３に挿通されて固定され吸盤１０が基布１２の裏面とプレート体１２の表側１２Ａとの間に上向きで配置される。そうして、便蓋カバー１のポケット部４が便座蓋Ｂ２の前端部Ｅに被せられたのち、基布２の下面が便座蓋Ｂ２の表面Ｃ上に載置され、後部の側縁７，７が便座蓋Ｂ２の後部側面から回り込まされて裏面Ｄ側に持ち込まれる。そして、図６（ｂ）に示すように、左右の係止具９，９が蓋中央部に向けて引っ張られ（図中の矢印Ｎ，Ｎ方向）、後部の側縁７，７がピーンと展張される。そして、その位置で吸盤１０，１０が便座蓋Ｂ２の裏面Ｄに吸着される。これらにより、便蓋カバー１が便座蓋Ｂ２の前端部Ｅに固定されるとともに、ぴったりと装着されるのである。この場合、便蓋カバー１後部の基布２は便座蓋Ｂ２の表面Ｃおよび側面の全てを被い、引っ張られた状態で吸着固定されているので、ぴったりフィットして見栄えがよい。
【００２７】
上記したように、この実施形態の便蓋カバー１によれば、ポケット部が展張状態で元々広く形成されているので、便座蓋Ｂ１，Ｂ１Ａ，Ｂ２の前端部Ｅに装着されるときは伸縮部５が伸長してポケット部４が広がるから容易かつ十分に装着することができる。また、伸縮部５は伸ばした状態の幅Ｗ２が基布２の左右側縁７，７間の幅Ｗ１よりも大きいので、温水洗浄式の便座蓋Ｂ１，Ｂ１Ａの前端部Ｅのように旧式の便座蓋Ｂ２よりも幅広かったり、特に便座蓋Ｂ１Ａの前端部Ｅのように上下厚さが大きかったり平面視で角張っていたりしていても、十分に広がってポケット部４を装着させることができる。加えて、装着後はいずれのタイプの便座蓋Ｂ１，Ｂ１Ａ，Ｂ２についてもピッタリと密着してスマートな美観を呈することができる。
【００２８】
また、吸盤１０がプレート体１２を介して基布２の後部の左右側縁７，７に連結されるから、吸盤１０を便座蓋Ｂ１，Ｂ１Ａ，Ｂ２の後部の広い範囲にわたって配置させることができ、基布２の後部８を自由位置で係止・固定して基布２のダブつきを防止できる。そして、吸盤１０の摘み１０Ａはプレート体１２の表側１２Ａまたは裏側１２Ｂから係合孔１３に装着されるので、温水洗浄式の便座蓋Ｂ１，Ｂ１Ａの表面Ｃまたは旧式の便座蓋Ｂ２の裏面Ｄのいずれにも吸盤１０を吸着させることができ、基布２の後部８を確実に係止できる。更に、プレート体１２の係合孔１３周縁に切り込み部１４，１４が形成されているので、吸盤１０を係合孔１３に装着する際や吸盤１０を係合孔１３から取り外す際に、摘み１０Ａが係合孔１３を通過するときに切り込み部１４，１４が広がって摘み１０Ａの通過を容易にすることができる。また、摘み１０Ａの通過後は切り込み部１４，１４が狭まって吸盤１０をしっかりと保持するから、プレート体１２への吸盤１０の取り付け・取り外しを容易かつ確実に行なうことができる。
【００２９】
ところで、温水洗浄式の便座蓋Ｂ１，Ｂ１Ａに便蓋カバーを用いる場合に、便座蓋Ｂ１，Ｂ１Ａを立てると便器後部の起立部Ｐ（図１と図６（ａ）参照）に係止具９が接触干渉して便座蓋Ｂ１，Ｂ１Ａが開き切らなくなることがある。しかしながら、この便蓋カバー１では、係止具９のプレート体１２を取り付ける位置が基布２の後端８Ａから前方に５０ｍｍ離れた位置にされているので、係止具９が便器後部の起立部Ｐと接触干渉しにくくなり、便座蓋Ｂ１，Ｂ１Ａを十分に開き切ることができる。他方で、旧式の便座蓋Ｂ２の裏面Ｄの左右後部には垂脚２１，２１（図６（ｂ）参照）が垂設されているが、係止具９を便座蓋Ｂ２に用いて便座蓋Ｂ２の裏面Ｄで係止させる場合でも、前記のように後縁８Ａからプレート体１２までの距離Ｈが５０ｍｍなので、係止具９が垂脚２１，２１と干渉することがなく、吸盤１０を裏面Ｄに確実に吸着させることができる。すなわち、この利点も含めて、３０〜８０ｍｍという距離Ｈは、１つの便蓋カバー１を３つのタイプの便座蓋Ｂ１，Ｂ１Ａ，Ｂ２に併用させるうえで極めて好適な距離である。
【００３０】
尚、上記の実施形態では、係合孔１３の周縁でプレート体１２の長手方向の位置に、切り込み部１４，１４を形成したが、本考案それに限定されるものでない。例えば、係合孔１３の周縁で例えばプレート体１２の短手方向の位置に、切り込み部１４ａ（図３（ｃ）中の１点鎖線）を形成することも可能である。このような切り込み部１４ａは既述の切り込み部１４と併用してもよい。
【００３１】
また、吸盤１０につながれる連結部材１１としては、プレート体１２に替えて紐体などでもよい。連結部材１１として紐体を用いる場合は、吸盤１０などを自在に表裏反転させて用いることができる。更に、係止具９として吸盤１０およびプレート体１２を用いた例を示したが、それらに替えて、例えばゴム紐セットや吸着材（図２（ｂ）参照）などを係止具として用いても構わない。
【００３２】
そして、上記では、温水洗浄式の便座蓋Ｂ１で前面が平面視半円状のものを例示したが、本考案が適用される便座蓋は、それに限定されない。例えば、前面の左右前端部が角張っている角型の便座蓋Ｂ１Ａや、便座の外方を被えるように垂縁部を有する厚みのある便座蓋に使用される場合でも、伸縮部を有するポケット部が特徴的構成を備える本考案は、好適に利用可能である。
【００３３】
尚、本考案で規定した連結部材の位置を示す距離数値以外で、実施形態中に示した数値に関しては、あくまでも例示であり、本考案がそれらの例示数値に限定されるものでないことは言うまでもない。
【符号の説明】
【００３４】
１    便蓋カバー
２    基布
２Ａ  展開基布
３    前縁
３Ａ  円弧状縁
３Ｂ  最外端
４    ポケット部
５    伸縮部
６    弾性伸縮体
６Ａ  平ゴム
７    側縁
８    後部
８Ａ  後端
９    係止具
１０  吸盤
１０Ａ  摘み
１１  連結部材
１２  プレート体
１２Ａ  表側
１２Ｂ  裏側
１３  係合孔
１４，１４ａ  切り込み部
Ｂ１，Ｂ１Ａ，Ｂ２  便座蓋
Ｃ    表面
Ｄ    裏面
Ｅ    前端部
Ｈ    距離
△Ｗ  突出長
【図１】
0003219803.tif 000003
【図２】
0003219803.tif 000004
【図３】
0003219803.tif 000005
【図４】
0003219803.tif 000006
【図５】
0003219803.tif 000007
【図６】
0003219803.tif 000008